(57)【要約】【課題】  施工の容易な太陽光発電装置の傾斜架台を提供する。【解決手段】  太陽光発電装置１の傾斜架台２の基礎部分をパイプ状で、先端に尖った三角錘部２６、上端にドーム状の閉塞部２７を備えた基礎部材２０乃至２５を所定の施工個所に油圧ハンマ等で打設して施工する。各基礎部材２０は側面の中央より下側に２つの湾曲したフィン２８が固着されており、打設後、２つのフィン２８が地中に埋設された状態となり、基礎部材２０乃至２５を地面から引き抜こうとした際の抵抗となる。【選択図】      図２
2016042753.tif 000002
【特許請求の範囲】
【請求項１】
地面に設置されて傾斜架台を支持する多数の基礎部材を先の尖った地面に打設可能なパイプ状とするとともに、
この基礎部材の外側面に複数の湾曲したフィンを固着したこと、
を特徴とする太陽光発電装置の傾斜架台。
【請求項２】
傾斜架台を単管によるフレーム構造とし、
傾斜架台の支柱を成す単管を基礎部材にクランプにより固定するようにしたこと、
を特徴とする請求項１記載の太陽光発電装置の傾斜架台。
【発明の詳細な説明】
【技術分野】
【０００１】
本発明は太陽光発電装置の傾斜架台に係り、とくに架台基礎部分の施工を簡単化できる太陽光発電装置の傾斜架台に関する。
【背景技術】
【０００２】
火力発電により排出される大量のＣＯ２が異常気象の要因となっており、クリーンな自然エネルギー生産のできる太陽光発電システムの普及が急務となっている。従来、遊休地を利用した太陽光発電システムは、地面を平坦に整地後、コンクリート製の基礎ブロックを格子点状に配設し、各基礎ブロックにアンカーボルトで支柱を立設し、各支柱の上端を梁部材で繋いでフレーム構造の傾斜架台を形成し、傾斜架台の傾斜上面が成すパネル載置面に方形板状に形成された多数枚の太陽電池パネルを縦横２次元的に並設して取着するようにしている。
【０００３】
ところで基礎ブロックは全体重量が重く、実際の施工では、直方体状で中空のコンクリートマスを準備して現地に運び、平坦に整地後の地面にコンクリートマスの下部を一定深さだけ埋設し、更にコンクリートマスの中にコンクリートを流して固化させるようにしている。このため、架台の基礎部分の施工に多大の手間と時間が掛かる問題があった。
【先行技術文献】
【特許文献】
【０００４】
【特許文献１】特開２０１４−０３１７１０号公報
【発明の概要】
【発明が解決しようとする課題】
【０００５】
本発明は上記した従来技術の問題に鑑みなされたもので、施工の容易な太陽光発電装置の傾斜架台を提供することを、その目的とする。
【課題を解決するための手段】
【０００６】
請求項１記載の発明では、地面に設置されて傾斜架台を支持する多数の基礎部材を先の尖った地面に打設可能なパイプ状とするとともに、この基礎部材の外側面に複数の湾曲したフィンを固着したこと、を特徴としている。
請求項２記載の発明では、傾斜架台を単管によるフレーム構造とし、傾斜架台の支柱を成す単管を基礎部材にクランプにより固定するようにしたこと、を特徴としている。
【発明の効果】
【０００７】
本発明の１つによれば、傾斜架台を支持する多数の基礎部材を地面に打設可能な先の尖ったパイプ状とするとともに、この基礎部材の外側面に複数の湾曲したフィンを固着したことにより、打設後、フィンが地中に埋設された状態となり、基礎部材を地面から引き抜こうとした際の抵抗となって大きな引き抜き強度が得られるため、従来の基礎ブロック工事が不要となり、傾斜架台の基礎部分が簡単な作業で迅速に施工可能となる。
また、傾斜架台を単管によるフレーム構造とし、傾斜架台の支柱を成す単管を基礎部材にクランプにより固定するようにしたことにより、迅速かつ安価に傾斜架台の構築が出来るとともに、打設後の基礎部材の上端を同一の高さとする必要がないので、基礎部材の施工が容易となり、必ずしも敷地を平坦に整地しなくて済む。
【図面の簡単な説明】
【０００８】
【図１】本発明の一実施例に係る太陽光発電装置の平面図である（実施例１）。
【図２】図１の側面図である。
【図３】図１中の傾斜架台の斜視図である。
【図４】図１中の基礎部材の外観斜視図である。
【図５】図１中の太陽発電パネルの平面図である。
【図６】図５のＶＩ−ＶＩ’線に沿った縦断面図である。
【図７】図５のＶＩＩ−ＶＩＩ’線に沿った縦断面図である。
【図８】図１中の第１の取り付け金具の外観斜視図である。
【図９】図１中の第２の取り付け金具の外観斜視図である。
【図１０】第１の取り付け金具の使用方法の説明図である。
【図１１】第２の取り付け金具の使用方法の説明図である。
【図１２】第２の取り付け金具の使用方法の説明図である。
【図１３】第１の取り付け金具の使用方法の説明図である。
【発明を実施するための最良の形態】
【０００９】
以下、本発明の最良の形態を実施例に基づき説明する。
【実施例１】
【００１０】
図１乃至図１３を参照して本発明の一実施例を説明する。図１は本発明に係る太陽光発電装置の平面図、図２は図１の側面図、図３は図１中の傾斜架台を示す一部省略した斜視図、図４は傾斜架台の基礎部材を示す斜視図、図５は太陽発電パネルの平面図、図６は図５のＶＩ−ＶＩ’線に沿った断面図、図７は図５のＶＩＩ−ＶＩＩ’線に沿った断面図、図８は図１中の第１の取り付け金具の外観斜視図、図９は図１中の第２の取り付け金具の外観斜視図、図１０は第１の取り付け金具の使用方法の説明図、図１１は第２の取り付け金具の使用方法の説明図、図１２は第２の取り付け金具の使用方法の説明図、図１３は第１の取り付け金具の使用方法の説明図である。
【００１１】
図１乃至３において、１は太陽光発電装置であり、耕作放棄地等の遊休地に設置した例を示す。なお、この実施例では敷地を平坦にする整地はとくにされていないものとする。太陽光発電装置１は敷地に設置された傾斜架台２（図３参照）と、傾斜架台２の上面のパネル載置面３に縦横２次元的に配設された１２枚の長方形状の太陽発電パネル４ａ乃至４ｌから成る。傾斜架台２のパネル載置面３は前後方向に延設されるとともに、横に平行して複数本配設された梁部材としての単管１０乃至１５により形成されている。左側の４つの太陽発電パネル４ａ乃至４ｄは左右両端部が２本の単管１０、１１の上側に取着されており、中央の４つの太陽発電パネル４ｅ乃至４ｈは左右両端部が２本の単管１２、１３の上側に取着されており、右側の４つの太陽発電パネル４ｉ乃至４ｌは左右両端部が２本の単管１４、１５の上側に取着されている。最前列の太陽発電パネル４ａ、４ｅ、４ｉの前側端縁と、最後列の太陽発電パネル４ｄ、４ｈ、４ｌの後側端縁は第１の取り付け金具８０（図８参照）により単管１０乃至１５に取着されており、最前列の太陽発電パネル４ａ、４ｅ、４ｉの後側端縁と、最後列の太陽発電パネル４ｄ、４ｈ、４ｌの前側端縁と、２列目及び３列目の太陽発電パネル４ｂ、４ｆ、４ｊ、４ｃ、４ｇ、４ｋの前側及び後ろ側端縁は第２の取り付け金具９０（図９参照）により単管１０乃至１５に取着されている。
【００１２】
傾斜架台２は地面に所定間隔離して前後３本づつ格子状に打設したパイプ状の基礎部材２０乃至２５を含み、これらの基礎部材２０乃至２５に足場用の多数の単管を組み付けたフレーム構造を有している。基礎部材２０乃至２５は同一形状を有しており、例えば基礎部材２０は図４に示す如く、先端部が尖った三角錐部２６、上端部がドーム状の閉塞部２７となっており、側面の真ん中より下端寄りに湾曲した２つのフィン２８が周方向に１８０度離して固着されており、打設箇所に垂直に立て、油圧ハンマ等により上端を打設し、先端から半分前後の高さまで地面に打ち込まれている。打設後、２つのフィン２６が地中に埋設された状態となり、基礎部材２０乃至２５を地面から引き抜こうとした際の抵抗となるので、大きな引き抜き強度が得られることになり、極めて強固な傾斜架台２が実現できる。
なお、フィン２８は周方向に等間隔離して３枚以上装備したり、上下２段に各々複数枚ずつ装備しても良い。
また、図２に示す如く敷地Ａは平坦でなくても良く、また、打設後の基礎部材２０乃至２５の上端を同一の高さとする必要もなく、平面的に見た所定の複数の打設個所にパイプ状の基礎部材２０乃至２５を打設するだけの簡単な作業で迅速に傾斜架台２の基礎部分の施工が出来る。
【００１３】
前列の基礎部材２０乃至２２の地上部分には比較的短い支柱部材としての単管３０乃至３２がクランプ６０（図２参照）により鉛直かつ上端が同一高さに揃うように締結されており、後列の基礎部材２３乃至２５の地上部分には比較的長い支柱部材としての単管３３乃至３５がクランプ６０（図２参照）により鉛直かつ上端が同一高さに揃うように締結されている。後側の単管３３、３４、３５の上端は前側の単管３０、３１、３２の上端より高くなっている。前側の基礎部材２０、２１、２２の地上部分と後側の単管３３、３４、３５の下部の間に、下部補強部材としての単管３６乃至３８がクランプ６１（図２参照）により水平かつ互いに同一高さとなるように締結されている。
【００１４】
前側の単管３０乃至３２の上端を横に繋ぐようにして横梁部材としての単管３９がクランプ６２（図２参照）により水平に締結されており、後側の単管３３乃至３５の上端を横に繋ぐようにして横梁部材としての単管４０がクランプ６２（図２参照）により水平に締結されている。これらの横梁部材としての単管３９、４０の上に前後に延設された梁部材としての単管１０乃至１５が横に並設されて傾斜したパネル載置面３が形成されている。単管１０乃至１５は両端部が単管３９、４０にクランプ６３（図２参照）により締結されている。単管１０乃至１５の中央より少し後ろ寄りの下側を横に繋ぐようにして横梁部材としての単管４１がクランプ６４（図２参照）により水平に締結されている。そして、後側の支柱部材としての単管３３、３４、３５の下部と横梁部材としての単管４１の下側の間に補強部材としての３本の単管４２、４３、４４がクランプ６５（図２参照）により締結されている。また、前側の支柱部材としての単管３０、３２の下部と前側の横梁部材としての単管３９の間に補強部材としての２本の単管４５、４６がクランプ６６（図２参照）により締結されており、後側の両端の基礎部材２３、２５の地上部分と後側の横梁部材としての単管４０の間に補強部材としての２本の単管４７、４８がクランプ６６（図２参照）により締結されている。
このようにして、傾斜架台２の基礎部材以外のフレーム構造を足場に使用する単管の組み合わせで形成するようにしたことにより、材料費が安く済むとともに施工作業が簡単になる。
【００１５】
傾斜架台２のパネル載置面３には前後に４枚ずつ、左右に３枚ずつの計１２枚の太陽電池パネル４ａ乃至４ｌが配設されている。梁部材としての左側の２本の単管１０、１１の上に前側から後側へ４枚の太陽発電パネル４ａ乃至４ｄが並設して取着されており、梁部材としての中寄りの２本の単管１２、１３の上に前側から後側へ４枚の太陽発電パネル４ｅ乃至４ｈが並設して取着されており、梁部材としての右側の２本の単管１４、１５の上に前側から後側へ４枚の太陽発電パネル４ｉ乃至４ｌが並設して取着されている。
【００１６】
太陽発電パネル４ａは図５乃至図７に示す如く全体が横長の方形板状に形成されており、方形板状のパネル本体７０と、パネル本体７０の周縁に額縁状に嵌められた方形の枠体７１とを有する。パネル本体７０には複数の太陽電池（図示せず）が２次元的に並べられて相互接続されている。枠体７１は断面がコ字状に形成されて枠体７１の下側折り曲げ部７２とパネル本体７０の下面の間に隙間Ｓが空けられている。他の太陽発電パネル４ｂ乃至４ｌも４ａと全く同様に形成されている。
【００１７】
傾斜架台２のパネル載置面３に縦横２次元的に配設された太陽発電パネル４ａ乃至４ｌの内、最前列の太陽発電パネル４ａ、４ｅ、４ｉの前外側の端縁が梁部材としての単管１０と１１、１２と１３、１４と１５の前端近くの上側に左右一対ずつ設けられた第１の取り付け金具８０により取着されている。また、最後列の太陽発電パネル４ｄ、４ｈ、４ｌの後外側の端縁が梁部材としての単管１０と１１、１２と１３、１４と１５の後端近くの上側に左右一対ずつ設けられた第１の取り付け金具８０により取着されている。
最前列と二列目の隣接する太陽発電パネル４ａと４ｂの対向する端縁、４ｅと４ｆの対向する端縁、４ｉと４ｊの対向する端縁が梁部材としての単管１０と１１、１２と１３、１４と１５の上側に左右一対ずつ設けられた第２の取り付け金具９０により取着されている。二列目と三列目の隣接する太陽発電パネル４ｂと４ｃの対向する端縁、４ｆと４ｇの対向する端縁、４ｊと４ｋの対向する端縁が梁部材としての単管１０と１１、１２と１３、１４と１５の上側に左右一対ずつ設けられた第２の取り付け金具９０により取着されている。三列目と最後列の隣接する太陽発電パネル４ｃと４ｄの対向する端縁、４ｇと４ｈの対向する端縁、４ｋと４ｌの対向する端縁が梁部材としての単管１０と１１、１２と１３、１４と１５の上側に左右一対ずつ設けられた第２の取り付け金具９０により取着されている。
【００１８】
第１の取り付け金具８０は図８に示す如く、全体が上向きに開口した略コ字状に形成されて内部に梁部材としての単管１０乃至１５を一本挿入可能な金具本体８１を有し、金具本体８１の左右の立ち上がり部８２の前部に左右対称にＬ字状の係止部８３が形成されている。係止部８３の下側は太陽発電パネル４ａ等の枠体７１の下側折り曲げ部７２を単管１０等の管軸に沿った方向へ差し込み可能な差し込み溝部８４となっている。係止部８３には、差し込み溝部８４の上縁個所から側方に直角に延設されて太陽発電パネル４ａ等の枠体７１の下側折り曲げ部７２の上面に当接する当接部８５が形成されている。差し込み溝部８４の深さＤは下側折り曲げ部７２の上面の長さＬ（図１０、図１３参照）より浅く形成されており、下側折り曲げ部７２の先端を差し込み溝部８４の底８６に当接させることで、管軸方向の位置決めが可能になっている。金具本体８１の底部８７には座金８８を介在して止めボルト８９が螺合されており、金具本体８１に梁部材としての単管１０等を挿入し、かつ、太陽発電パネル４ａ等の枠体７０の下側折り曲げ部７１を左右の差し込み溝部８４に差し込み、下側折り曲げ部７２の先端（図１０の符号７３、図１３の符号７４参照））を差し込み溝部８４の底８６に当接させた状態で、金具本体８１の底部８７に螺合された止めボルト８９を回して止めボルト８９の先端を梁部材としての単管１０等の下面に押圧させると、左右の係止部８３の当接部８５が太陽発電パネル４ａ等の枠体７０の下側折り曲げ部７１を単管１０等に押圧して太陽発電パネル４ａ等の端縁をパネル載置面３に固定可能となっている（図１０、図１３参照）。
【００１９】
第２の取り付け金具９０は図９に示す如く、第１の取り付け金具８０を向かい合わせて一体化した如き構造を有している。すなわち、全体が上向きに開口した略コ字状に形成されて内部に梁部材としての単管１０乃至１５を一本挿入可能な金具本体９１を有し、金具本体９１の左右の上端部に、左右対称及び前後対称に、Ｌ字状の係止部９３Ａ、９３Ｂが形成されている。係止部９３Ａ、９３Ｂの下側は太陽発電パネル４ａ等の枠体７１の下側折り曲げ部７２を単管１０乃至１５の管軸に沿った方向へ差し込み可能な差し込み溝部９４Ａ、９４Ｂとなっている。係止部９３Ａ、９３Ｂには、差し込み溝部９４Ａ、９４Ｂの上縁個所から側方に直角に延設されて太陽発電パネル４ａ等の枠体７１の下側折り曲げ部７２の上面に当接する当接部９５Ａ、９５Ｂが形成されている。差し込み溝部９４Ａ、９４Ｂの深さＤは下側折り曲げ部７２の上面の長さＬ（図１１、図１２参照）より浅く形成されており、下側折り曲げ部７２の先端を差し込み溝部９４Ａ、９４Ｂの底９６Ａ、９６Ｂに当接させることで、管軸方向の位置決めが可能になっている。金具本体９１の底部９７の前端近くと後端近くには座金８８Ａ、８８ｂＢを介在して止めボルト９９Ａ、９９Ｂが螺合されており、金具本体９１に梁部材としての単管１０等を挿入し、かつ、前後に隣接する太陽発電パネルの対向する端縁の内、前側の太陽発電パネルの枠体７０の下側折り曲げ部７１を前側の左右の差し込み溝部９４Ａに差し込み、下側折り曲げ部７２の先端７４を差し込み溝部９４Ａの底９６Ａに当接させた状態で、金具本体９１の底部９７に螺合された前側の止めボルト９９Ａを回して止めボルト９９Ａの先端を梁部材としての単管１０等の下面に押圧させると、左右の係止部９３Ａの当接部９５Ａが太陽発電パネルの枠体７０の下側折り曲げ部７１を単管１０等に押圧して太陽発電パネルの端縁をパネル載置面３に固定可能となっている（図１１参照）。
同様に、金具本体９１に梁部材としての単管１０等を挿入し、かつ、前後に隣接する太陽発電パネルの対向する端縁の内、後側の太陽発電パネルの枠体７０の下側折り曲げ部７１を後側の左右の差し込み溝部９４Ｂに差し込み、下側折り曲げ部７２の先端を差し込み溝部９４Ｂの底９６Ｂに当接させた状態で、金具本体９１の底部９７に螺合された後側の止めボルト９９Ｂを回して止めボルト９９Ｂの先端を梁部材としての単管１０等の下面に押圧させると、左右の係止部９３Ｂの当接部９５Ｂが太陽発電パネルの枠体７０の下側折り曲げ部７１を単管１０等に押圧して太陽発電パネルの端縁をパネル載置面に固定可能となっている（図１２参照）。
【００２０】
次に、上記した実施例に係る太陽光発電装置１の施工方法の一例について説明する。
遊休地等の敷地を適宜、整地後（必ずしも敷地全体を水平な平坦地に整地しなくても良い）、基礎部材２０乃至２５を各打設施工箇所に垂直に立て、油圧ハンマ等により上端を打設し、先端から半分前後の高さまで地面に打ち込む。打設後、２つのフィン２８が地中に埋設された状態となり、基礎部材２０乃至２５を地面から引き抜こうとした際の抵抗となる。
【００２１】
前列の基礎部材２０乃至２２の地上部分に比較的短い支柱部材としての単管３０乃至３２をクランプ６０により鉛直かつ上端が同一高さに揃うように締結し、後列の基礎部材２３乃至２５の地上部分に比較的長い支柱部材としての単管３３乃至３５をクランプ６０により鉛直かつ上端が同一高さに揃うように締結する。後側の単管３３、３４、３５の上端は前側の単管３０、３１、３２の上端より高くなっている。前側の基礎部材２０、２１、２２の地上部分と後側の単管３３、３４、３５の下部の間に、下部補強部材としての単管３６乃至３８をクランプ６１により水平かつ互いに同一高さとなるように締結し、前側の単管３０乃至３２の上端を横に繋ぐようにして横梁部材としての単管３９をクランプ６２により水平に締結し、更に後側の単管３３乃至３５の上端を横に繋ぐようにして横梁部材としての単管４０をクランプ６２により水平に締結する。これらの横梁部材としての単管３９、４０の上に前後に延設された梁部材としての単管１０乃至１５を横に並併設して傾斜したパネル載置面３を形成する。単管１０乃至１５は両端部を単管３９、４０にクランプ６３により締結する。単管１０乃至１５の中央より少し後ろ寄りの下側を横に繋ぐようにして横梁部材としての単管４１をクランプ６４により水平に締結する。そして、後側の支柱部材としての単管３３、３４、３５の下部と横梁部材としての単管４１の下側の間に補強部材としての３本の単管４２、４３、４４をクランプ６５により締結し、前側の支柱部材としての単管３０、３２の下部と前側の横梁部材としての単管３９の間に補強部材としての２本の単管４５、４６をクランプ６６により締結し、後側の両端の基礎部材２３、２５の地上部分と後側の横梁部材としての単管４０の間に補強部材としての２本の単管４７、４８をクランプ６６により締結する（図２参照）。
このように、傾斜架台２の基礎部材以外のフレーム構造を足場に使用する単管、クランプの組み合わせで形成するようにしたことにより、材料費が安く済むとともに施工作業が簡単になる。
【００２２】
次に、最前列用の太陽発電パネル４ａ、４ｅ、４ｉをパネル載置面３の最前部の上に、水糸等を用いて各太陽発電パネル４ａ、４ｅ、４ｉの前端が左右に直線的に揃うように並置する。そして、各太陽発電パネル４ａ、４ｅ、４ｉの前側端縁の左右２箇所を、左右一対の第１の取り付け金具８０を用いて前後に延びた単管１０と１１の前端部、単管１２と１３の前端部、単管１４と１５の前端部に取着する。
具体的には、例えば太陽発電パネル４ａの左側の前端縁は図１０に示す如く、パネル載置面３の下側から第１の取り付け金具８０の開口の中に単管１０を挿入し、更に太陽発電パネル４ａの前縁の枠体７１の下側折り曲げ部７２の上側に左右一対の係止部８３が来るようにして下側折り曲げ部７２を左右一対の差し込み溝部８４に差し込み、差し込み溝部８４の底８６に下側折り曲げ部７２の先端７３を当接させて位置決めする。この状態で、止めボルト８９を回して止めボルト８９の先端を単管１０の下面に押圧し、左右一対の係止部８３の下端から側方に延設された一対の当接部８５により、下側折り曲げ部７２を単管１０の上面に押圧して固定する。太陽発電パネル４ａの右側の前端縁も同様にして、第１の取り付け金具８０により単管１１に固定し、他の太陽発電パネル４ｅ、４ｉの前端縁も同様にして２個ずつの第１の取り付け金具８０により、単管１２と１３、１４と１５に固定する。
【００２３】
次に、各太陽発電パネル４ａ、４ｅ、４ｉの後側端縁の左右２箇所を、左右一対の第２の取り付け金具９０を用いて前後に延びた単管１０と１１、単管１２と１３、単管１４と１５に取着する。
具体的には、例えば太陽発電パネル４ａの左側の後端縁は図１１に示す如く、パネル載置面３の下側から第２の取り付け金具９０の開口の中に単管１０を挿入し、更に太陽発電パネル４ａの後縁の枠体７１の下側折り曲げ部７２の上側に、第２の取り付け金具９０の前側の左右一対の係止部９３Ａが来るように下側折り曲げ部７２を左右一対の差し込み溝部９４Ａに差し込み、差し込み溝部９４Ａの底９６Ａに下側折り曲げ部７２の先端７４を当接させて位置決めする。この状態で、前側の止めボルト９９Ａを回して止めボルト９９Ａの先端を単管１０の下面に押圧し、左右一対の係止部９３Ａの下端から側方に延設された一対の当接部９５Ａにより、下側折り曲げ部７２を単管１０の上面に押圧して固定する。太陽発電パネル４ａの右側の後端縁も同様にして、第２の取り付け金具９０により単管１１に固定し、他の太陽発電パネル４ｅ、４ｉも同様にして２個ずつの第２の取り付け金具９０により、単管１２と１３、１４と１５に固定する。
【００２４】
次に、二列目用の太陽発電パネル４ｂ、４ｆ、４ｊをパネル載置面の二列目に並置し、単管１０乃至１５に取り付け済みの第２の取り付け金具９０により、各太陽発電パネル４ｂ、４ｆ、４ｊの前端縁の左右２箇所を単管１０と１１、１２と１３、１４と１５に取着する。
具体的には、例えば太陽発電パネル４ｂの左側の前端縁は図１２に示す如く、太陽発電パネル４ｂの左端を前列の太陽発電パネル４ａの左端に合わせながら、太陽発電パネル４ｂの前縁の枠体７１の下側折り曲げ部７２の上側に、第２の取り付け金具９０の後側の左右一対の係止部９３Ｂが来るように下側折り曲げ部７２を左右一対の差し込み溝部９４Ｂに差し込み、差し込み溝部９４Ｂの底９６Ｂに下側折り曲げ部７２の先端７３を当接させて位置決めする。この状態で、後側の止めボルト９９Ｂを回して止めボルト９９Ｂの先端を単管１０の下面に押圧し、左右一対の係止部９３Ｂの下端から側方に延設された一対の当接部９５Ｂにより、下側折り曲げ部７２を単管１０の上面に押圧して固定する。太陽発電パネル４ｂの右側の前端縁も同様にして、第２の取り付け金具９０により単管１１に固定し、他の太陽発電パネル４ｅ、４ｉも同様にして２個ずつの第２の取り付け金具９０により、単管１２と１３、１４と１５に固定する。これにより、隣接する太陽発電パネルの対向する端縁が同じ第２の取り付け金具９０により一緒に取着される。この際、太陽発電パネル４ｂ、４ｆ、４ｊの前側の枠体７１の下側折り曲げ部７２の先端が各第２の取り付け金具９０により位置決めされるので、太陽発電パネル４ｂ、４ｆ、４ｊの前端は自動的に直線的に揃うことになり、隣接する前側の太陽発電パネル４ａ、４ｅ、４ｉとの間隔が自動的に同じ所定の一定距離を成すように取着可能となる。
【００２５】
以下、同様にして、太陽発電パネル４ｂ、４ｆ、４ｊの後側端縁の左右を、第２の取り付け金具９０の前部により単管１０と１１、１２と１３、１４と１５に固定し、三列目の太陽発電パネル４ｃ、４ｇ、４ｋの前側端縁の左右を、単管１０乃至１５に取り付け済みの第２の取り付け金具９０の後部により単管１０と１１、１２と１３、１４と１５に固定し、太陽発電パネル４ｃ、４ｇ、４ｋの後側端縁の左右を、第２の取り付け金具９０の前部により単管１０と１１、１２と１３、１４と１５に固定し、最後列の太陽発電パネル４ｄ、４ｈ、４ｌの前側端縁の左右を、単管１０乃至１５に取り付け済みの第２の取り付け金具９０の後部により単管１０と１１、１２と１３、１４と１５に固定する。
最後に、最前列の太陽発電パネル４ａ、４ｅ、４ｉの前側端縁の場合と同様にして、最後列の太陽発電パネル４ｄ、４ｈ、４ｌの後側端縁の左右を、一対の第１の取り付け金具８０により単管１０と１１、１２と１３、１４と１５に固定する（図１３参照）。
このようにして、傾斜架台２のパネル載置面３に計１２枚の太陽発電パネル４ａ乃至４ｌを取着した太陽光発電装置１が完成する。
【００２６】
この実施例によれば、傾斜架台２を支持する多数の基礎部材２０乃至２５を地面に打設可能な先の尖ったパイプ状とするとともに、この基礎部材２０乃至２５の外側面に２つの湾曲したフィン２８を固着したことにより、打設後、フィン２８が地中に埋設された状態となり、基礎部材２０乃至２５を地面から引き抜こうとした際の抵抗となって大きな引き抜き強度が得られるため、基礎ブロック工事が不要となり、基礎部分が簡単な作業で迅速に施工可能となる。
また、傾斜架台２を単管群によるフレーム構造とし、傾斜架台２の支柱を成す単管３０乃至３５を基礎部材２０乃至２５にクランプ６０により固定するようにしたことにより、迅速かつ安価に傾斜架台２の構築が出来るとともに、打設後の基礎部材２０乃至２５の上端を同一の高さとする必要がないので、基礎部材２０乃至２５の施工が容易となり、必ずしも敷地を平坦に整地しなくて済む。
【００２７】
また、傾斜架台２のパネル載置面３の下側から、第１、第２の取り付け金具８０、９０を用いて複数の太陽発電パネル４ａ乃至４ｌをパネル載置面３に並べて取着することができ、太陽発電パネル４ａ乃至４ｌの上に乗って取り付け作業をしなくて済むので、取り付け作業時に誤って太陽発電パネル４ａ乃至４ｌを変形させてしまう恐れがない。太陽発電パネル４ａ乃至４ｌの上に乗って取り付け作業をする場合は、作業中に取り付け金具を地面に落下させたとき、太陽発電パネル４ａ乃至４ｌから降りなければならなず、手間が掛かるが、本発明では、取り付け金具を落下しても直ぐに拾えるので、手間が掛からない。
また、第１、第２の取り付け金具８０、９０にパネル載置面３を形成する梁部材としての単管１０等を挿入し、太陽発電パネル４ａ等の枠体７１の下側折り曲げ部７２を差し込み溝部８４、８４Ａ、８４Ｂに差し込み、止めボルト８９、９９Ａ、９９Ｂを回すだけで固定できるので取り付け作業が簡単で済む。
また、太陽発電パネル４ａ等の枠体７１の下側折り曲げ部７２の先端７３、７４を第１、２第の取り付け金具８０、９０の差し込み溝部８４、８４Ａ、８４Ｂの底８６、９６Ａ、９６Ｂに当接させることで、パネル載置面３の上での太陽発電パネル４ａ等の位置決め、第１、第２の取り付け金具８０、９０の位置決めを容易に行える。
【００２８】
なお、上記した実施例では、パネル載置面を前後に延設されるとともに横に平行に配設された梁部材としての単管により構成したが、パネル載置面を左右の横方向に延設されるとともに前後に平行に配設された梁部材としての単管により構成しても良い。また、基礎部材は前後３本ずつとし、計１２枚の太陽発電パネルを配設する場合を例に挙げて説明したが、本発明は何らこれに限定されるものでなく、他の組み合わせで施工して良いのは勿論である。
【産業上の利用可能性】
【００２９】
本発明は、耕作放棄地、空き牧場等の遊休地等に設置される種々の規模の太陽光発電装置に適用可能である。
【符号の説明】
【００３０】
１  太陽光発電装置
２  傾斜架台
３  パネル載置面
４ａ乃至４ｌ  太陽発電パネル
１０乃至１５、３０乃至３５、３６乃至４８  単管
２０乃至２５  基礎部材
２８  フィン
７１  枠体
７２  下側折り曲げ部
８０  第１の取り付け金具
９０  第２の取り付け金具
８４、９４Ａ、９４Ｂ  差し込み溝部
８５、９５Ａ、９５Ｂ  当接部
８６、９６Ａ、９６Ｂ  底
８９、９９Ａ、９９Ｂ  止めボルト
【図１】
2016042753.tif 000003
【図２】
2016042753.tif 000004
【図３】
2016042753.tif 000005
【図４】
2016042753.tif 000006
【図５】
2016042753.tif 000007
【図６】
2016042753.tif 000008
【図７】
2016042753.tif 000009
【図８】
2016042753.tif 000010
【図９】
2016042753.tif 000011
【図１０】
2016042753.tif 000012
【図１１】
2016042753.tif 000013
【図１２】
2016042753.tif 000014
【図１３】
2016042753.tif 000015